(57)【要約】【課題】消火用のスプリンクラ設備を利用して、屋内空間内の雰囲気の除菌及び消臭を効率よく行う。【解決手段】スプリンクラ設備１は、水道管３０に連通する一次側配管２０と、第１の開閉弁２２を介して一次側配管２０に連結された二次側配管２１と、二次側配管２１に設けられ、水道管３０から供給された水を散水する複数のスプリンクラヘッド４０と、二次側配管２１に設けられ、除菌消臭剤を噴霧する複数のミストノズル５０と、二次側本管２１ａから分岐し、タンク５２に連通する供給管５１と、供給管５１に設けられた第２の開閉弁５４及びポンプ５３と、第１の開閉弁２２の開閉、第２の開閉弁５４の開閉、及びポンプ５３の作動を制御する制御部７０と、を有する。【選択図】図１
2012000178.tif 000002
【特許請求の範囲】
【請求項１】
給水源に連通する一次側配管と、第１の開閉弁を介して前記一次側配管に連結された二次側配管と、前記二次側配管に設けられ、前記給水源から供給された水を散水する複数のスプリンクラヘッドとを有する、消火用のスプリンクラ設備において、
前記二次側配管に設けられ、除菌消臭剤を噴霧する複数の除菌消臭剤ノズルと、
前記複数の除菌消臭剤ノズルに除菌消臭剤を供給する除菌消臭剤供給源と、
前記複数のスプリンクラヘッド及び前記複数の除菌消臭剤ノズルより一次側の前記二次側配管から分岐し、前記除菌消臭剤供給源に連通する除菌消臭剤供給管と、
前記除菌消臭剤供給管に設けられ、当該除菌消臭剤供給管内の除菌消臭剤の流通を制御する第２の開閉弁と、
前記除菌消臭剤供給管に設けられ、前記除菌消臭剤供給源から前記除菌消臭剤ノズルに除菌消臭剤を送液するためのポンプと、
前記第１の開閉弁の開閉、前記第２の開閉弁の開閉、及び前記ポンプの作動を制御する制御部と、を有することを特徴とする、スプリンクラ設備。
【請求項２】
前記制御部は、
平時には、前記第１の開閉弁を閉塞し、前記第２の開閉弁を開放すると共に、所定の時間毎に前記ポンプを作動させて、前記除菌消臭剤供給源から前記除菌消臭剤ノズルに除菌消臭剤を供給し、
火災時には、前記第１の開閉弁を開放し、前記第２の開閉弁を閉塞すると共に、前記ポンプの作動を停止し、前記給水源から前記スプリンクラヘッドに水を供給するように、
前記第１の開閉弁の開閉、前記第２の開閉弁の開閉、及び前記ポンプの作動を制御することを特徴とする、請求項１に記載のスプリンクラ設備。
【請求項３】
前記給水源から供給される水の圧力は第１の圧力であり、
前記除菌消臭剤供給源から供給される除菌消臭剤の圧力は、前記第１の圧力よりも高い第２の圧力であって、
前記除菌消臭剤ノズルは、前記第１の圧力よりも大きい圧力で除菌消臭剤を噴霧可能に構成され、
前記制御部は、火災時にのみ、前記スプリンクラヘッドを開放して散水させるように制御することを特徴とする、請求項１又は２に記載のスプリンクラ設備。
【請求項４】
前記除菌消臭剤ノズルにおいて、除菌消臭剤の噴出口の径は１ｍｍ以下であることを特徴とする、請求項１〜３のいずれかに記載のスプリンクラ設備。
【請求項５】
前記除菌消臭剤は、電解次亜塩素酸水を有することを特徴とする、請求項１〜４のいずれかに記載のスプリンクラ設備。
【請求項６】
前記給水源は水道管であることを特徴とする、請求項１〜５のいずれかに記載のスプリンクラ設備。
【発明の詳細な説明】
【技術分野】
【０００１】
本発明は、消火用のスプリンクラ設備に関し、特に屋内空間の除菌消臭作用を有するスプリンクラ設備に関する。
【背景技術】
【０００２】
従来、建屋に設置される消火設備としてスプリンクラ設備が普及している。スプリンクラ設備は、例えば給水源に連通する一次側配管と、制御弁を介して一次側配管に連結された二次側配管と、二次側配管に設けられた複数のスプリンクラヘッドとを有している。そして、火災が発生すると、供給源からスプリンクラヘッドに水が供給され、当該スプリンクラヘッドから水が散水されて火災が消火される（特許文献１）。
【０００３】
ところで、上述したスプリンクラ設備は、例えば住居の他、介護施設や病院、あるいはオフィスビルやショッピングセンタ等、不特定多数の人が滞在する種々の建屋に設置される。近年、かかる建屋の屋内環境を良好に保つため、当該屋内空間の雰囲気を清浄化すること、すなわち屋内空間の雰囲気を除菌及び消臭することが要望されている。そこで、このような除菌消臭効果を発揮する除菌消臭剤として、例えば塩素含有酸化剤を所定の濃度含んだ水溶液が提案されている。そして、屋内空間に除菌消臭剤を噴霧して、屋内空間の雰囲気を清浄化している（特許文献２）。
【先行技術文献】
【特許文献】
【０００４】
【特許文献１】特開２００９−２４０４６３号公報
【特許文献２】特開２００１−３１６２１３号公報
【発明の概要】
【発明が解決しようとする課題】
【０００５】
しかしながら、上述した除菌消臭剤の噴霧は、例えばトリガースプレイヤー等の空気圧を利用した噴霧手段を用いて行われている。かかる場合、主として手動で除菌消臭剤が噴霧されるため、手間がかかる上、屋内空間を均一に除菌消臭することができなかった。また、除菌消臭剤を噴霧する際には、超音波振動子等の振動素子を用いて除菌消臭剤を噴霧したり、あるいは加温により除菌消臭剤を噴霧することも行われるが、かかる場合、噴霧手段を別途設ける必要があるので、装置コストが高くなっていた。
【０００６】
本発明は、かかる点に鑑みてなされたものであり、消火用のスプリンクラ設備を利用して、屋内空間内の雰囲気の除菌及び消臭を効率よく行うことを目的とする。
【課題を解決するための手段】
【０００７】
前記の目的を達成するため、本発明は、給水源に連通する一次側配管と、第１の開閉弁を介して前記一次側配管に連結された二次側配管と、前記二次側配管に設けられ、前記給水源から供給された水を散水する複数のスプリンクラヘッドとを有する、消火用のスプリンクラ設備において、前記二次側配管に設けられ、除菌消臭剤を噴霧する複数の除菌消臭剤ノズルと、前記複数の除菌消臭剤ノズルに除菌消臭剤を供給する除菌消臭剤供給源と、前記複数のスプリンクラヘッド及び前記複数の除菌消臭剤ノズルより一次側の前記二次側配管から分岐し、前記除菌消臭剤供給源に連通する除菌消臭剤供給管と、前記除菌消臭剤供給管に設けられ、当該除菌消臭剤供給管内の除菌消臭剤の流通を制御する第２の開閉弁と、前記除菌消臭剤供給管に設けられ、前記除菌消臭剤供給源から前記除菌消臭剤ノズルに除菌消臭剤を送液するためのポンプと、前記第１の開閉弁の開閉、前記第２の開閉弁の開閉、及び前記ポンプの作動を制御する制御部と、を有することを特徴としている。なお、除菌消臭剤とは、除菌及び消臭作用を有する処理液をいう。
【０００８】
本発明によれば、複数の除菌消臭剤ノズルと複数のスプリンクラヘッドがそれぞれ二次側配管に設けられており、制御部により第１の開閉弁の開閉、第２の開閉弁の開閉及びポンプの作動を制御することで、複数の除菌消臭剤ノズルから除菌消臭剤を噴霧することができ、また複数のスプリンクラヘッドから水を散水することができる。具体的には、後述するように、例えば平時には、第１の開閉弁を閉塞し、第２の開閉弁を開放すると共に、所定の時間毎にポンプを作動させて、除菌消臭剤供給源から除菌消臭剤ノズルに除菌消臭剤を供給する。一方、例えば火災時には、第１の開閉弁を開放し、第２の開閉弁を閉塞すると共に、ポンプの作動を停止し、給水源からスプリンクラヘッドに水を供給する。以上のように本発明のスプリンクラ設備によれば、消火機能を維持しつつ、屋内空間の除菌消臭を自動で行うことができる。したがって、従来のように手間がかからず、しかも屋内空間を均一に除菌消臭することができる。また、複数の除菌消臭剤ノズル等は、消火用のスプリンクラ設備を利用して設置されているので、装置コストを低廉化することができる。以上のように、本発明によれば、屋内空間内の雰囲気の除菌消臭を効率よく行うことができる。
【０００９】
前記制御部は、平時には、前記第１の開閉弁を閉塞し、前記第２の開閉弁を開放すると共に、所定の時間毎に前記ポンプを作動させて、前記除菌消臭剤供給源から前記除菌消臭剤ノズルに除菌消臭剤を供給し、火災時には、前記第１の開閉弁を開放し、前記第２の開閉弁を閉塞すると共に、前記ポンプの作動を停止し、前記給水源から前記スプリンクラヘッドに水を供給するように、前記第１の開閉弁の開閉、前記第２の開閉弁の開閉、及び前記ポンプの作動を制御するのが好ましい。
【００１０】
前記給水源から供給される水の圧力は第１の圧力であり、前記除菌消臭剤供給源から供給される除菌消臭剤の圧力は、前記第１の圧力よりも高い第２の圧力であって、前記除菌消臭剤ノズルは、前記第１の圧力よりも大きい圧力で除菌消臭剤を噴霧可能に構成され、前記制御部は、火災時にのみ、前記スプリンクラヘッドを開放して散水させるように制御するのが好ましい。
【００１１】
前記除菌消臭剤ノズルにおいて、除菌消臭剤の噴出口の径は１ｍｍ以下であってもよい。
【００１２】
前記除菌消臭剤は、電解次亜塩素酸水を有していてもよい。
【００１３】
前記給水源は水道管であってもよい。
【発明の効果】
【００１４】
本発明によれば、消火用のスプリンクラ設備を利用して、屋内空間内の雰囲気の除菌及び消臭を効率よく行うことができる。
【図面の簡単な説明】
【００１５】
【図１】本実施の形態にかかるスプリンクラ設備の側面視における構成の概略を示す説明図である。
【図２】本実施の形態にかかるスプリンクラ設備の平面視における構成の概略を示す説明図である。
【図３】ミストノズルの構成の概略を示す縦断面図である。
【発明を実施するための形態】
【００１６】
以下、本発明の実施の形態について説明する。図１は、本実施の形態にかかるスプリンクラ設備１の側面視における構成の概略を示す説明図である。図２は、スプリンクラ設備１の平面視における構成の概略を示す説明図である。
【００１７】
スプリンクラ設備１は、図１に示すように、例えば介護施設や病院などの建屋１０に設置される。建屋１０は例えば２階建構造であって、各屋内空間１１は天井体１２と壁体１３によって区画されている。
【００１８】
スプリンクラ設備１には、一次側配管２０と二次側配管２１が第１の開閉弁２２を介して連結されている。第１の開閉弁２２には、例えば電磁弁が用いられる。また、第１の開閉弁２２は、壁体１３内に配置されている。
【００１９】
一次側配管２０は、例えば給水源としての水道管３０に連通している。そして、一次側配管２０は、水道管３０から分岐し、壁体１３内を鉛直方向に延伸して設けられている。したがって、第１の開閉弁２２を開放すると、水道管３０から一次側配管２０を介して二次側配管２１に水が供給されるようになっている。なお、水道管３０自体は、開閉弁３１を介して屋内空間１１に設置された水栓３２に接続され、屋内空間１１に水を供給できる。
【００２０】
二次側配管２１は、第１の開閉弁２２から壁体１３内を鉛直方向に延伸する二次側本管２１ａと、当該二次側本管２１ａから複数に分岐し、各階の天井体１２内を延伸する二次側分岐管２１ｂとを有している。
【００２１】
二次側分岐管２１ｂには、複数のスプリンクラヘッド４０が設けられている。スプリンクラヘッド４０は、例えば１ｍ２毎に１個設置されている。また、スプリンクラヘッド４０には、第１の圧力である例えば０．３ＭＰａ〜０．４ＭＰａの圧力で、例えば５００００ｃｍ３／分（５０リットル／分）の流量の水が水道管３０から供給され、当該スプリンクラヘッド４０から散水される。なお、スプリンクラヘッド４０から水が散水されるのは火災時のみであって、平時においてスプリンクラヘッド４０は閉塞され水は散水されない。
【００２２】
二次側分岐管２１ｂには、さらにミスト状の除菌消臭剤を噴霧する複数の除菌消臭剤ノズルとしてのミストノズル５０が設けられている。ミストノズル５０は、例えば３．３ｍ２毎に１個設置されている。また、ミストノズル５０には、上述した第１の圧力よりも高い第２の圧力である例えば０．７ＭＰａの圧力で、例えば１０ｃｍ３／分〜１０００ｃｍ３／分（０．０１リットル／分〜１リットル／分）、本実施の形態においては５０ｃｍ３／分（０．０５リットル／分）の流量の除菌消臭剤が供給され、当該ミストノズル５０から除菌消臭剤が噴霧される。なお、ミストノズル５０の構造と除菌消臭剤の成分については、後述において説明する。
【００２３】
二次側分岐管２１ｂに設けられた複数のスプリンクラヘッド４０と複数のミストノズル５０は、図２に示すように屋内空間１１に均一に分布するように配置されている。そして、このように複数のスプリンクラヘッド４０と複数のミストノズル５０を配置するため、二次側分岐管２１ｂも天井体１２内においてさらに分岐して配置されている。
【００２４】
複数のスプリンクラヘッド４０と複数のミストノズル５０より一次側の二次側配管２１、すなわち二次側本管２１ａには、図１に示すように除菌消臭剤供給管としての供給管５１が分岐して設けられている。供給管５１は、内部に液体状の除菌消臭剤を貯留する除菌消臭剤供給源としてのタンク５２に連通している。また、供給管５１には、タンク５２からミストノズル５０に除菌消臭剤を送液するためのポンプ５３と、供給管５１内の除菌消臭剤の流通を制御する第２の開閉弁５４が、タンク５２側からこの順で設けられている。第２の開閉弁５４には、例えば電磁弁が用いられる。
【００２５】
各屋内空間１１の天井には、複数の感知器６０が設置されている。複数の感知器６０は、図２に示すように屋内空間１１に均一に分布するように配置されている。感知器６０は、火災の発生を感知し、具体的には屋内空間１１内の熱又は煙を感知する。そして、図１に示すように屋内空間１１内の雰囲気が所定温度、例えば７０℃〜９０℃以上に上昇したり、あるいは所定量以上の煙が発生するのを感知器６０が感知すると、その信号が受信器６１に送信される。また、各屋内空間１１には、警報器６２が設置されている。警報器６２には非常ベル（図示せず）が設けられ、屋内空間１１に滞在する人が火災を発見したときに非常ベルが押されると、その信号が受信器６１に送信される。また、警報器６２は、受信器６１に上述した火災の発生を知らせる信号が送信されると、警報音を発するように構成されている。さらに、このように受信器６１に火災発生の信号が送信されると、後述する制御部７０によって火災発生箇所のスプリンクラヘッド４０が開放され、当該スプリンクラヘッド４０から水が散水されるようになっている。
【００２６】
スプリンクラ設備１には、第１の開閉弁２２の開閉、第２の開閉弁５４の開閉、ポンプ５３の作動を制御する制御部７０が設けられている。制御部７０には制御盤（図示せず）が設けられ、作業者はこの制御盤にポンプ５３の作動タイミングや作動時間を入力することができる。また、制御部７０は、受信器６１からの火災発生の信号に基づいて、第１の開閉弁２２の開閉と第２の開閉弁５４の開閉を制御する。具体的には、平時には、第１の開閉弁２２を閉塞し、第２の開閉弁５４を開放しておく。一方、火災時には、第１の開閉弁２２を開放し、第２の開閉弁５４を閉塞する。
【００２７】
なお、制御部７０は、例えばコンピュータであり、プログラム格納部（図示せず）を有している。プログラム格納部には、スプリンクラ設備１を制御するためのプログラムが格納されている。なお、前記プログラムは、例えばコンピュータ読み取り可能なハードディスク（ＨＤ）、フレキシブルディスク（ＦＤ）、コンパクトディスク（ＣＤ）、マグネットオプティカルデスク（ＭＯ）、メモリーカードなどのコンピュータに読み取り可能な記憶媒体に記録されていたものであって、その記憶媒体から制御部７０にインストールされたものであってもよい。
【００２８】
次に、上述したミストノズル５０の構造について説明する。図３は、ミストノズルの構成の概略を示す縦断面図である。
【００２９】
ミストノズル５０は、本体８０を有している。本体８０の内部には、液体状の除菌消臭剤が流通する流通路８１が形成されている。流通路８１は、上流側（二次側分岐管２１ｂ側）から下流側に向かって、段々にその内径が小さくなるように形成されている。流通路８１の基端部には、除菌消臭剤中の異物を除去するフィルタ８２が設けられている。また、流通路８１の他端部には、除菌消臭剤が噴射される噴出口８３が形成されている。噴出口８３の内径Ｄは例えば１ｍｍ以下、より好ましくは０．１ｍｍ以下となっている。なお、噴出口８３付近には、噴出口８３から噴射されるミスト状の除菌消臭剤を拡散させるための拡散手段（図示せず）が設けられている。
【００３０】
かかるミストノズル５０に二次側分岐管２１ｂから液体状の除菌消臭剤が供給されると、除菌消臭剤はフィルタ８２を通過し流通路８１に流入する。このとき、除菌消臭剤がフィルタ８２を通過することで当該除菌消臭剤に含まれる異物が除去される。そして、除菌消臭剤は、内径Ｄの微小な噴出口８３を通過する際にミスト化される。ミスト化された除菌消臭剤は、噴出口８３から屋内空間１１に噴射される。なお、噴射された除菌消臭剤の径は微小であるため、屋内空間１１内の人や物が濡れることはない。また、このように微小な噴出口８３を通過させるために、除菌消臭剤は高い圧力、すなわち上述した第１の圧力より高い圧力で供給される必要があり、第２の圧力で供給されるのが好ましい。したがって、上述したように水道管３０から第１の圧力で水を供給しても、この水がミストノズル５０から噴射されることは殆どない。
【００３１】
次に、上述した除菌消臭剤の成分について説明する。除菌消臭剤は、約９９．９％の純水と、約０．１％の電解次亜塩素酸水とを含有する水溶液である。電解次亜塩素酸水は、例えばオゾン、二酸化塩素及び次亜塩素酸ナトリウムを混合し、この混合液を電気分解して生成したものである。また、本実施の形態の除菌消臭剤は、例えばｐＨ８．９を有する。発明者らによれば、かかる除菌消臭剤を屋内空間１１に噴霧した場合、優れた除菌効果を発揮すると共に、優れた消臭効果を奏することが分かった。具体的には、例えば大腸菌、黄色ブドウ球菌、ＭＲＳＡ（メチシリン・レジスタント・スタヒロコッカス・アウレウス）、サルモネラ菌、緑膿菌、芽胞菌等を除菌することができ、またインフルエンザウイルス等のウィルスが活性化するのを抑制することができる。しかも、電解次亜塩素酸水は人体に対して無害であって、且つ無公害物質であるので、人や環境に対しても安全である。
【００３２】
本実施の形態にかかるスプリンクラ設備１は以上のように構成されている。次に、そのスプリンクラ設備１で行われる作用について、平時と火災時に分けて説明する。
【００３３】
平時においては、制御部７０によって、第１の開閉弁２２が閉塞される。そうすると、水道管３０から二次側配管２１に水が流入しない。また、第２の開閉弁５４が開放されると共に、制御部７０の制御盤に入力されたポンプ５３の作動タイミング及び作動時間に基づいてポンプ５３が作動する。ポンプ５３は、例えば４時間毎に１回且つ５秒間作動する。そして、タンク５２から二次側配管２１に第２の圧力で５０ｃｍ３／分の液体状の除菌消臭剤が供給され、ミストノズル５０から屋内空間１１にミスト状の除菌消臭剤が噴霧される。このとき、スプリンクラヘッド４０は閉じられており、当該スプリンクラヘッド４０から除菌消臭剤が流出することはない。こうして噴霧されたミスト状の除菌消臭剤によって屋内空間１１が除菌消臭され、雰囲気が清浄に維持される。なお、本実施の形態において、ポンプ５３の作動タイミングを４時間毎に１回としたのは、除菌消臭剤による除菌効果の持続時間が４時間であるという発明者らの知見に基づくものである。
【００３４】
一方、火災時においては、先ず、感知器６０又は警報器６２からの火災発生の信号が受信器６１に送信され、さらに制御部７０に送信される。このとき、警報器６２から警報音が発せられる。そして、制御部７０によって、第２の開閉弁５４が閉塞されると共に、ポンプ５３の作動が停止する。そうすると、タンク５２から二次側配管２１に除菌消臭剤が流入しない。また、火災発生箇所のスプリンクラヘッド４０が開放されると共に、第１の開閉弁２２が開放される。そして、水道管３０から二次側配管２１に第１の圧力で５００００ｃｍ３／分の水が供給され、スプリンクラヘッド４０から屋内空間１１に水が散水される。このとき、供給される水の圧力は第１の圧力と低いため、この水がミストノズル５０から噴射されることは殆どない。こうして屋内空間１１に散水された水によって、火災が消火される。
【００３５】
以上の実施の形態によれば、複数のミストノズル５０と複数のスプリンクラヘッド４０がそれぞれ二次側配管２１に設けられており、制御部７０により第１の開閉弁２２の開閉、第２の開閉弁５４の開閉及びポンプ５３の作動を制御することで、複数のミストノズル５０から除菌消臭剤を噴霧することができ、また複数のスプリンクラヘッド４０から水を散水することができる。具体的には、例えば平時には、第１の開閉弁２２を閉塞し、第２の開閉弁５４を開放すると共に、所定の時間毎にポンプ５３を作動させて、タンク５２からミストノズル５０に除菌消臭剤を供給する。一方、例えば火災時には、第１の開閉弁２２を開放し、第２の開閉弁５４を閉塞すると共に、ポンプ５３の作動を停止し、水道管３０からスプリンクラヘッド４０に水を供給する。以上のように本実施の形態のスプリンクラ設備１によれば、消火機能を維持しつつ、屋内空間１１の除菌消臭を自動で行うことができる。したがって、従来のように手間がかからず、しかも屋内空間１１を均一に除菌消臭することができる。また、複数のミストノズル５０等は、消火用のスプリンクラ設備１を利用して設置されているので、装置コストを低廉化することができる。以上のように、本実施の形態によれば、屋内空間１１内の雰囲気の除菌消臭を効率よく行うことができる。
【００３６】
また、発明者らが調べたところ、本実施の形態と同様の条件で屋内空間１１に除菌消臭剤を噴霧すると、除菌消臭剤を噴霧しない場合と比較して、屋内空間１１内の温度を２℃〜６℃下げる効果があることが分かった。したがって、例えば夏季において、空気調節に要するエネルギー消費を抑えることができ、ＣＯ２削減にも貢献できる。また、このように除菌消臭剤を噴霧することで、屋内空間１１内の湿度を５０％〜７０％の適切な湿度に維持できることが分かった。したがって、例えば冬季において、加湿に要するエネルギー消費を抑えることができ、ＣＯ２削減にも貢献できる。さらに、屋内空間１１を適度な湿度に保つことにより、乾燥によるウィルスの活性化及び蔓延を抑制できる。以上のように、本実施の形態によれば、環境保全にも貢献することができる。
【００３７】
また、ミストノズル５０の噴出口８３の内径Ｄは１ｍｍ以下と微小であり、噴出口８３から除菌消臭剤を噴射させるためには、ミストノズル５０に除菌消臭剤が上述した第１の圧力より高い圧力で供給されることを要する。この点、平時においては、タンク５２からミストノズル５０に第１の圧力より高い第２の圧力で除菌消臭剤が供給されるので、ミストノズル５０からミスト状の除菌消臭剤を適切に噴射できる。一方、火災時において、水道管３０から第１の圧力で水が供給されても、この水がミストノズル５０から噴射されることは殆どない。このように平時には、ミストノズル５０のみからミスト状の除菌消臭剤が噴射され、火災時にはスプリンクラヘッド４０のみから水が散水される。したがって、平時の除菌消臭と火災時の消火を共に適切に行うことができる。なお、火災時において、ミストノズル５０から水が流出するおそれもあるが、その量は極めて微量であり、火災時の消火に影響を及ぼすことはない。
【００３８】
さらに、ミストノズル５０の噴出口８３の内径Ｄは１ｍｍ以下と微小であるため、ミストノズル５０から噴射される除菌消臭剤の径は微小となり、屋内空間１１内の人や物が濡れることはない。したがって、人に不快感を与えることがなく、また物が損傷することもない。
【００３９】
また、一次側配管２０は水道管３０に接続されているため、容易に給水源を確保できる。さらに、平時には第１の開閉弁２２が閉塞されているが、水道管３０内の水は絶えず入れ替わるため、一次側配管２０内の水の腐敗や一次側配管２０の腐蝕及び劣化を防止することができる。
【００４０】
以上の実施の形態では、建屋１０が２階建構造を有する場合について説明したが、建屋の構造は本実施の形態に限定されず、種々の構造を取り得る。また、以上の実施の形態では、一次側配管２０、二次側本管２１ａ及び第１の開閉弁２２は、壁体１３内に設けられていたが、壁体１３の外側に設置されていてもよい。さらに、以上の実施の形態のスプリンクラ設備１において、スプリンクラヘッド４０とミストノズル５０の数及び配置は任意に設定できる。
【００４１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００４２】
本発明は、消火用のスプリンクラ設備を用いて、屋内空間の除菌消臭する際に有用である。
【符号の説明】
【００４３】
１    スプリンクラ設備
１０  建屋
１１  屋内空間
１２  天井体
１３  壁体
２０  一次側配管
２１  二次側配管
２１ａ  二次側本管
２１ｂ  二次側分岐管
２２  第１の開閉弁
３０  水道管
３１  開閉弁
３２  水栓
４０  スプリンクラヘッド
５０  ミストノズル（除菌消臭剤ノズル）
５１  供給管（除菌消臭剤供給管）
５２  タンク（除菌消臭剤供給源）
５３  ポンプ
５４  第２の開閉弁
６０  感知器
６１  受信器
６２  警報器
７０  制御部
８０  本体
８１  流通路
８２  フィルタ
８３  噴出口
【図１】
2012000178.tif 000003
【図２】
2012000178.tif 000004
【図３】
2012000178.tif 000005